(57)【要約】【課題】害虫駆除用照明装置において、ハダニ等の害虫を確実に駆除できるようにする。【解決手段】害虫駆除用照明装置は、光源と、その光源を点灯制御する制御回路とを備える。光源は、２６０〜３０５ｎｍの波長を含む紫外線又は２６０〜３０５ｎｍの波長範囲内にピーク波長を有する紫外線を放射する。制御回路は、光源による紫外線の放射強度が０．１〜５０μＷ／ｃｍ２の範囲内で時間的に変化し、且つその変化を繰り返すように光源を調光制御する。これにより、特に害虫がハダニである場合、低強度での紫外線放射によりハダニの動作を鈍らせてから、高強度で紫外線を放射することにより、ハダニを逃がすことなく、ハダニに高強度の紫外線を連続して照射させることができ、ハダニを殺傷することができる。従って、ハダニを確実に駆除することができる。しかも、紫外線の放射強度の変化が繰り返されることで、殺虫効果の確実性を向上させることができる。【選択図】図５
2014200205.tif 000002
【特許請求の範囲】
【請求項１】
紫外線を含む光を放射する光源と、前記光源を調光制御する制御部と、を備えた害虫駆除用照明装置において、
前記光源は、２６０〜３０５ｎｍの波長を含む紫外線又は２６０〜３０５ｎｍの波長範囲内にピーク波長を有する紫外線を放射し、
前記制御部は、前記光源による前記紫外線の放射強度が０．１〜５０μＷ／ｃｍ２の範囲内で時間的に変化し、且つその変化を繰り返すように前記光源を調光制御することを特徴とする害虫駆除用照明装置。
【請求項２】
前記制御部は、前記光源による前記紫外線の放射強度が、少なくとも前記害虫の動作を停止させることが可能な停止強度と、前記害虫を殺傷可能な殺傷強度と、を含む複数の設定強度の中で、前記放射強度を段階的に変化させることを特徴とする請求項１又は請求項２に記載の害虫駆除用照明装置。
【請求項３】
前記停止強度は、５〜１５μＷ／ｃｍ２の範囲内にあり、
前記殺傷強度は、２０〜５０μＷ／ｃｍ２の範囲内にあることを特徴とする請求項２に記載の害虫駆除用照明装置。
【請求項４】
前記複数の設定強度は、前記害虫を誘引可能な誘引強度を含むことを特徴とする請求項２又は請求項３に記載の害虫駆除用照明装置。
【請求項５】
前記誘引強度は、０．１〜３μＷ／ｃｍ２の範囲内にあることを特徴とする請求項４に記載の害虫駆除用照明装置。
【請求項６】
前記制御部は、前記光源による前記紫外線の放射強度を、前記誘引強度、前記停止強度及び前記殺傷強度の順に変化させることを特徴とする請求項４又は請求項５に記載の害虫駆除用照明装置。
【請求項７】
前記制御部は、前記光源における前記殺傷強度での前記紫外線の放射期間を３０分以上とすることを特徴とする請求項２乃至請求項６のいずれか一項に記載の害虫駆除用照明装置。
【請求項８】
前記光源は、複数、設けられ、
前記制御部は、前記複数の光源における前記紫外線の放射強度の変化態様を互いに同じとすることを特徴とする請求項１乃至請求項７のいずれか一項に記載の害虫駆除用照明装置。
【請求項９】
前記光源は、複数、設けられ、
前記制御部は、前記複数の光源の中で、前記紫外線の放射強度を変化させる対象の光源を切り替えることを特徴とする請求項１乃至請求項７のいずれか一項に記載の害虫駆除用照明装置。
【発明の詳細な説明】
【技術分野】
【０００１】
本発明は、植物に、害虫を駆除するための紫外線を照射する害虫駆除用照明装置に関する。
【背景技術】
【０００２】
植物に寄生する害虫の駆除方法として、植物に化学農薬を散布する方法が一般的に用いられている。しかしながら、この方法によれば、害虫が化学農薬への耐性を持つようになる虞がある。また、害虫が居る箇所に化学農薬が適切に散布されなかったとき、害虫の駆除が不十分になる。特に、ハダニの場合、ハダニは葉の裏に居ることが多く、このような箇所にまで漏れなく化学農薬を散布するには、散布者に多大な労力を伴う。その他の駆除方法として挙げられる生物農薬は、効果を上げることのできる投入時期及び投入場所を選定することが難しく、また、定期的な投入が必要になるので、コスト高となる。
【０００３】
そこで、害虫が耐性を持ち難く、且つ低コストで運用可能な駆除策として、害虫を駆除するための紫外線を放出する光源を備えた植物病害駆除用照明装置が知られている。この照明装置においては、光源による紫外線の放射照度が５０μＷ／ｃｍ２以下とされる（例えば、特許文献１を参照）。
【先行技術文献】
【特許文献】
【０００４】
【特許文献１】特開２００９−１５３３９７号公報
【発明の概要】
【発明が解決しようとする課題】
【０００５】
ところで、特許文献１に記載のような照明装置により、例えば、ハダニを十分に駆除するためには、２０μＷ／ｃｍ２以上の殺傷能力のある高放射強度の紫外線を連続してハダニに照射する必要がある。しかしながら、強度が２０μｗ／ｃｍ２以上の紫外線をハダニに突然に照射すると、ハダニは驚いて紫外線が照射されていない葉の裏側等に逃げてしまい、ハダニを十分に駆除することができないことがある。また、紫外線の放射強度を更に高めれば、ハダニが逃げる間もなくこれを殺傷できるが、紫外線の放射強度が強すぎると、植物の葉に悪影響を及ぼす虞がある。
【０００６】
本発明は、上記課題を解決するためになされたものであり、害虫を効果的に駆除することができる害虫駆除用照明装置を提供することを目的とする。
【課題を解決するための手段】
【０００７】
上記課題を解決するために本発明は、紫外線を含む光を放射する光源と、前記光源を点灯制御する制御部と、を備えた害虫駆除用照明装置において、前記光源は、２６０〜３０５ｎｍの波長を含む紫外線又は２６０〜３０５ｎｍの波長範囲内にピーク波長を有する紫外線を放射し、前記制御部は、前記光源による前記紫外線の放射強度が０．１〜５０μＷ／ｃｍ２の範囲内で時間的に変化し、且つその変化を繰り返すように前記光源を調光制御することを特徴とする。
【０００８】
前記制御部は、前記光源による前記紫外線の放射強度が、少なくとも前記害虫の動作を停止させることが可能な停止強度と、前記害虫を殺傷可能な殺傷強度と、を含む複数の設定強度の中で、前記放射強度を段階的に変化させることが好ましい。
【０００９】
前記停止強度は、５〜１５μＷ／ｃｍ２の範囲内にあり、前記殺傷強度は、２０〜５０μＷ／ｃｍ２の範囲内にあることが好ましい。
【００１０】
前記複数の設定強度は、前記害虫を誘引可能な誘引強度を含むことが好ましい。
【００１１】
前記誘引強度は、０．１〜３μＷ／ｃｍ２の範囲内にあることが好ましい。
【００１２】
前記制御部は、前記光源による前記紫外線の放射強度を、前記誘引強度、前記停止強度、前記殺傷強度の順に変化させることを特徴とすることが好ましい。
【００１３】
前記制御部は、前記光源における前記殺傷強度での前記紫外線の放射期間を３０分以上とすることが好ましい。
【００１４】
前記光源は、複数、設けられ、前記制御部は、前記複数の光源における前記紫外線の放射強度の変化態様を互いに同じとすることが好ましい。
【００１５】
前記光源は、複数、設けられ、前記制御部は、前記複数の光源の中で、前記紫外線の放射強度を変化させる対象の光源を切り替えることが好ましい。
【発明の効果】
【００１６】
本発明によれば、例えば、低強度での紫外線放射により害虫（例えば、ハダニ）の動作を鈍らせてから高強度で紫外線を放射することにより、害虫を逃がさずにこれに高強度の紫外線を連続して照射させることができ、効果的に害虫を殺傷することができる。また、紫外線の放射強度の変化が繰り返されるので、害虫の殺傷効率を向上させることができる。
【図面の簡単な説明】
【００１７】
【図１】本発明の一実施形態に係る害虫駆除用照明装置を示す図。
【図２】上記照明装置の光源による放射光の分光分布を正規化した図。
【図３】上記光源の一変形例による放射光の分光分布を正規化した図。
【図４】上記照明装置による害虫駆除効果を調べるための実験環境を示す図。
【図５】上記光源の紫外線放射強度の第１変化パターンを示す図。
【図６】上記照明装置の制御回路により実行される上記第１変化パターンに基づく調光制御処理の手順を示すフローチャート。
【図７】上記光源の紫外線放射強度の第２変化パターンを示す図。
【図８】上記照明装置の制御回路により実行される上記第２変化パターンに基づく調光制御処理の手順を示すフローチャート。
【図９】上記光源の紫外線放射強度の第３変化パターンを示す図。
【図１０】上記照明装置の制御回路により実行される上記第３変化パターンに基づく調光制御処理の手順を示すフローチャート。
【図１１】上記光源の紫外線放射強度の第１比較パターンを示す図。
【図１２】上記光源の紫外線放射強度の第２比較パターンを示す図。
【図１３】上記光源の紫外線放射強度の第３比較パターンを示す図。
【図１４】上記実施形態の一変形例に係る害虫駆除用照明装置を示す図。
【図１５】上記実施形態の他の変形例に係る害虫駆除用照明装置を示す図。
【発明を実施するための形態】
【００１８】
本発明の一実施形態に係る害虫駆除用照明装置（以下、照明装置）について図面を参照して説明する。図１は、本実施形態の照明装置１の構成を示す。照明装置１は、植物Ｐに紫外線を照射するための灯体２と、灯体２を調光制御する調光器３と、を備える。照明装置１は、植物Ｐに寄生する害虫Ｂ１を駆除するため植物Ｐに紫外線を照射するものであり、駆除対象の害虫Ｂ１として、特にハダニ類を想定し、その他、アザミウマ類及びコナジラミ類等の微小昆虫を想定している。ハダニ類には、ナミハダニ、カンザワハダニ、ミカンハダニ等が含まれる。
【００１９】
灯体２は、紫外線を含む光を放射する光源２１と、光源２１を収容する筐体２２と、筐体２２を支持する支持部材２３とを有する。筐体２２は、光源２１による放射光を外部に出射するための光出射口２２ａを有する。
【００２０】
光源２１は、略２６０〜３０５ｎｍの波長を含む紫外線又は２６０〜３０５ｎｍの波長範囲内にピーク波長を有する紫外線を放射する。光源２１は、蛍光灯、メタルハライドランプ、キセノンランプ、又は紫外線ＬＥＤ等により構成できる。
【００２１】
光源２１は、図２に示されるように、放射光における上記波長範囲内の成分割合が例えば９割以上であって、上記波長範囲外の成分が殆ど無いものにより構成される。光源２１は、図３に示されるように、少なくとも上記波長範囲内の波長成分の光を放射するものであり、その放射光には上記波長範囲外の波長成分が含まれていてもよい。この場合、光出射口２２ａには、上記波長範囲内の紫外線を透過し上記波長範囲外の光をカットする波長制御用の光学フィルタが設けられる。この光学フィルタは、例えば、石英ガラス又はフッ素樹脂等の紫外線を透過可能な基材と、その基材上に形成された上記波長範囲外の光をカットするための光学多層膜とにより構成される。なお、以下の説明では、図２に示したような略２６０〜３０５ｎｍの波長を含む紫外線又は２６０〜３０５ｎｍの波長範囲内にピーク波長を有する紫外線を、単に紫外線という。
【００２２】
光源２１による紫外線の放射は、害虫Ｂ１が卵、幼虫、さなぎ、成虫のいずれの成長段階であっても実施することが望ましいが、いずれかの成長段階のときだけ実施してもよい。また、害虫Ｂ１がハダニである場合、ハダニは草花、野菜、ラン類、花木、庭木及び果樹等、殆どの植物に寄生するので、光源２１は、植物の種類を問わず、いずれの植物に対しても使用できる。
【００２３】
筐体２２には、板状又はシート状の反射部材が収納されていることが望ましい。この反射部材は、光源２１による放射光のうち、光出射口２２ａとは反対側に進む光を光出射口２２ａに向けて反射するように構成され、その材質は例えばアルミとされる。支持部材２３は、筐体２２の光出射口２２ａからの光出射方向を変更可能とするため、筐体２２を上下又は左右に首振り自在に支持していることが望ましい。また、支持部材２３は、植物Ｐの成長に応じて灯体２の高さを変更できるように伸縮自在に構成されていてもよい。
【００２４】
調光器３は、タイマ３１と、タイマ３１による計時結果に基づいて光源２１を点灯制御する制御回路３２（制御部）とを有する。制御回路３２は、光源２１による紫外線の放射強度が０．１〜５０μＷ／ｃｍ２の範囲内で時間的に変化し、且つその変化を繰り返し、その変化が１日のうちで複数回生じるように光源２１を調光制御する。この調光制御処理において、制御回路３２は、光源２１による紫外線の放射強度が、少なくとも、後述の停止強度及び殺傷強度を含む複数の設定強度の中で、上記放射強度を段階的に変化させる。上記複数の設定強度には、害虫Ｂ１を誘引可能な誘引強度が含まれることが望ましい。そのような場合、制御回路３２は、光源２１による紫外線の放射強度を、誘引強度、停止強度、殺傷強度の順に変化させる。
【００２５】
誘引強度は、害虫Ｂ１を誘引可能な強度であり、例えば、略０．１〜３μＷ／ｃｍ２の範囲内にある。誘引強度の下限値は、０でなければよく、ここで略０．１μＷ／ｃｍ２以上としているのは、それ以下の調光制御が現実的でないことに基づく。誘引強度での紫外線の放射期間は、例えば、略１５〜３０分であり、誘虫のために０．０９〜５．４ｍＪの紫外線が放射される。停止強度は、害虫Ｂ１の動作を鈍らせて停止させることが可能な強度であり、例えば、略５〜１５μＷ／ｃｍ２の範囲内にある。停止強度での紫外線の放射期間は、例えば、略１０〜１５分であり、害虫Ｂ１の動きを停止させるために３．６〜１３．５ｍＪの紫外線が照射される。殺傷強度は、害虫Ｂ１を弱らせたり、物理的なダメージを与えたりして、害虫Ｂ１を殺傷可能な強度であり、例えば、略２０〜５０μＷ／ｃｍ２の範囲内にある。殺傷強度での紫外線の放射期間は、例えば、略３０分以上であり、殺虫のために３６ｍＪ以上の紫外線が放射される。誘引強度、停止強度及び殺傷強度での紫外線放射による効果については、ハダニを対象とした実験により確認済みである。
【００２６】
次に、制御回路３２が後述するパターンに基づいて光源２１をそれぞれ調光制御したときの、害虫駆除効果を調べるために実施される実験について説明する。
【００２７】
図４に示すように、この実験では、植物Ｐとして胡瓜を１株用意し、その胡瓜を略１ｍ×１ｍ×１．５ｍの寸法の透明容器５０に入れて栽培し、栽培開始後、５〜７日目に害虫Ｂ１のハダニを５頭、胡瓜の下部の１葉に接種した。そして、光源２１による放射光が胡瓜の下方から照射されるように光源２１を配置した上で、ハダニを接種した日から３日後に光源２１を点灯させた。また、光源２１による紫外線の放射強度（以下、単に紫外線の放射強度という）を、以下に説明する第１〜第３変化パターンと第１〜第３比較パターンとでそれぞれ変化させた。このような実験の結果については、透明容器５０に入れた胡瓜とその胡瓜に紫外線を照射する照明装置１との組み合わせを３組用意し、これら３組の平均値で評価した。その評価項目は、栽培から１．５ヶ月後に拡大鏡を用いて目視で数えた、任意の２葉の表と裏に居るハダニの頭数である。
【００２８】
以下、調光器３による光源２１の変化パターン（第１〜第３変化パターン）について詳述する。ここで、上述した誘引強度、停止強度及び殺傷強度を、それぞれｐ１、ｐ２、ｐ３とする。
【００２９】
図５は、第１変化パターンを示し、図６は、第１変化パターンに基づく調光制御処理の手順を示す。制御回路３２は、タイマ３１によるカウント値をリセットし（図６のＳ１１）、タイマ３１による計時を開始する（Ｓ１２）。そのとき、制御回路３２は、紫外線の最小放射強度ｐ０を０．１μＷ／ｃｍ２とし（Ｓ１３）、タイマ３１による計時開始からの経過時間（以下、計時時間という）が第１期間ｔ１以内である間（Ｓ１４でＮｏ）、それを維持する。第１期間ｔ１は略１５分である。計時時間が第１期間ｔ１を過ぎると（Ｓ１４でＹｅｓ）、制御回路３２は、紫外線の放射強度を停止強度ｐ２に切り替える（Ｓ１５）。計時時間が第１期間ｔ１と第２期間ｔ２との合計期間以内である間、すなわち停止強度ｐ２への切替え後からの経過時間が第２期間ｔ２以内である間（Ｓ１６でＮｏ）、制御回路３２は、停止強度ｐ２を維持する。第２期間ｔ２は略１５分である。計時時間が上記合計期間を過ぎると（Ｓ１６でＹｅｓ）、制御回路３２は、紫外線の放射強度を殺傷強度ｐ３に切り替える（Ｓ１７）。その後、計時時間が第１期間ｔ１、第２期間ｔ２及び第３期間ｔ３の合計期間以内である間、すなわち殺傷強度ｐ３への切替え後からの経過時間が第３期間ｔ３以内である間（Ｓ１８でＮｏ）、制御回路３２は、殺傷強度ｐ３を維持する。計時時間が上記合計期間を過ぎると（Ｓ１８でＹｅｓ）、Ｓ１１の処理に戻る。第３期間は略３０分である。
【００３０】
図７は、第２変化パターンを示し、図８は、第２変化パターンに基づく調光制御処理の手順を示す。この調光制御処理は、上記第１変化パターンに基づく調光制御処理（図６を参照）において、Ｓ１３の処理を、紫外線の放射強度を誘引強度ｐ１とするＳ２１の処理（図８を参照）に変更したものである。
【００３１】
図９は、第３変化パターンを示し、図１０は、第３変化パターンに基づく調光制御処理の手順を示す。この調光制御処理は、上記第１変化パターンに基づく調光制御処理（図６を参照）において、Ｓ１３〜Ｓ１８の処理をＳ３１〜Ｓ３４の処理（図１０を参照）に変更したものである。上記変更により、紫外線の放射強度を０とする第１期間ｔ１が省略され、その代わりに、紫外線の放射強度を殺傷強度ｐ３とする第３期間ｔ３が延長されてｔ３’≒４５分に変更される。
【００３２】
Ｓ１２の処理後、制御回路３２は、紫外線の放射強度を停止強度ｐ２とし（Ｓ３１）、計時時間が第２期間ｔ２以内である間（Ｓ３２でＮｏ）、停止強度ｐ２を維持する。計時時間が第２期間ｔ２を過ぎると（Ｓ３２でＹｅｓ）、制御回路３２は、紫外線の放射強度を殺傷強度ｐ３に切り替える（Ｓ３３）。計時時間が第２期間ｔ２と第３期間ｔ３’との合計期間以内である間、すなわち殺傷強度ｐ３への切替え後からの経過時間が第３期間ｔ３’以内である間（Ｓ３４でＮｏ）、制御回路３２は、殺傷強度ｐ３を維持する。第３期間ｔ３’は略４５分である。計時時間が上記合計期間を過ぎると（Ｓ３４でＹｅｓ）、Ｓ１１の処理に戻る。
【００３３】
次に、上記第１〜第３変化パターンと対比される第１〜第３比較パターンについて詳述する。図１１は、第１比較パターンを示す。本比較パターンでは、紫外線の放射強度が常に０とされ、紫外線が放射されない。図１２は、第２比較パターンを示す。本比較パターンは、上記第３変化パターン（図９を参照）において、紫外線の放射強度を停止強度ｐ２とする処理を、その放射強度を０とする処理に変更したものである。図１３は、第３比較パターンを示す。本比較パターンでは、紫外線の放射強度が常に殺傷強度ｐ３とされ、殺傷強度ｐ３の紫外線が連続的に放射される。
【００３４】
第１変化パターン〜第３変化パターンと第１比較パターン〜第３比較パターンとによる害虫駆除効果の評価結果を下記表１に示す。なお、上述したように、各パターンにおいて、実験開始時に夫々５頭のハダニが接種された。
【表１】
2014200205.tif 000003
【００３５】
上記表１に示されるように、ハダニは繁殖力が非常に強く、第１比較パターンのように紫外線が照射されなければ、ハダニは１．５ヶ月で数十倍にまで増殖する。このような繁殖力に起因して、第１変化パターン〜第３変化パターン、第２比較パターン及び第３比較パターンのように紫外線が放射された場合であっても、ハダニの頭数が接種時よりも増える。しかしながら、第１変化パターン〜第３変化パターンでは、第２比較パターン及び第３比較パターンと比べて、ハダニの頭数が１／４以下に抑えられる。その理由を次に説明する。
【００３６】
第１変化パターン〜第３変化パターン、第２比較パターン及び第３比較パターンでは、ハダニの頭数は、紫外線が照射され易い葉の裏側よりも、紫外線が照射され難い表側の方が多くなっており、ハダニが葉の裏側から葉の表側に移動することがわかる。ハダニの移動速度は、基本的に遅いことから、胡瓜のように葉が大きい植物では、葉の裏側から表側に回るために２０分以上の時間を要する。そこで、余裕を持たせて例えば３０分間以上、殺傷強度ｐ３で紫外線を照射すればハダニを殺虫できると見込まれる。しかしながら、第３比較パターンの結果に示されるように、紫外線を連続照射しただけでは、十分な殺虫効果が得られないことが分かった。これは、ハダニが強力な紫外線に驚き、急いで逃げたためであると推測される。一方、殺傷強度ｐ３での紫外線放射を第２比較パターンのように断続的にすると、殺虫効果は僅かに向上するものの、その程度は限定的である。
【００３７】
一方、第１変化パターン〜第３変化パターンではいずれも、上述した通り、ハダニの頭数が激減している。第１変化パターン〜第３変化パターンの共通点は、特に第２比較パターンと比べて、殺傷強度ｐ３で紫外線を放射する前に、停止強度ｐ２で紫外線を放射した点である。すなわち、停止強度ｐ２での紫外線放射によりハダニの動きを鈍らせ、その状態で殺傷強度ｐ３の紫外線を放射したことで、ハダニを逃がさずにハダニに殺傷強度ｐ３の紫外線を多量に浴びせることができ、殺虫効果を飛躍的に向上させることができた。
【００３８】
本実施形態では、特に害虫Ｂ１がハダニである場合、低強度での紫外線放射により害虫Ｂ１の動作を鈍らせてから高強度で紫外線を放射することにより、害虫Ｂ１を逃がさずに、害虫Ｂ１に高強度の紫外線を連続して照射させることができ、害虫Ｂ１を殺傷できる。従って、害虫Ｂ１が成虫であれば害虫Ｂ１の産卵を防ぐことで増殖を抑制することができ、たとえ産卵がなされても高強度の紫外線放射により孵化を防ぐことで害虫Ｂ１の発生を抑制することができ、そのため、害虫Ｂ１を確実に防除することができる。しかも、紫外線の放射強度の変化が繰り返されることで、害虫防除効果の確実性を高くすることができる。また、光源２１による紫外線の放射強度は、予め設定された複数の設定強度の中で段階的に切り替えるだけでよいので、放射強度を変化させるための構成は簡単なもので済む。
【００３９】
また、第１、第２変化パターンの場合、第３変化パターンと比べて、誘引強度ｐ０，ｐ１による紫外線の放射期間が追加されるので、紫外線から逃げていた害虫Ｂ１が紫外線の照射領域に戻る可能性が出て来る。そのような場合、それらの害虫Ｂ１に停止強度ｐ２及び殺傷強度ｐ３で紫外線を浴びせることができ、従って、害虫Ｂ１の防除効果が向上する。また、紫外線放射の休止、害虫Ｂ１の動作停止及び殺傷という一連の流れにより、害虫Ｂ１の防除をより効果的に実施することができる。
【００４０】
また、殺傷強度ｐ３での紫外線の放射期間が３０分以上とされる。従って、害虫Ｂ１がハダニである場合、ハダニが例えば紫外線の当たり難い葉の裏側から紫外線の当たり易い葉の表側に逃げようと移動しても、その移動期間中に殺傷強度ｐ３の紫外線を継続してハダニに照射し続けることができる。そのため、ハダニを確実に殺傷し駆除することができる。
【００４１】
次に、上記実施形態の変形例について図面を参照して説明する。以下の変形例において、上記実施形態と同一の構成が複数ある場合、それらを区別するため、上記実施形態の符号の末尾に個別のアルファベットを付加したものを用いる。
【００４２】
図１４は、上記実施形態の一変形例に係る照明装置１の構成を示す。本変形例の照明装置１は、複数の灯体（図例では２つの灯体２Ａ、２Ｂ）を備える。灯体２Ａは、光源２１Ａ、筺体２２Ａ及び支持部材２３Ａを有し、灯体２Ｂは、光源２１Ｂ、筺体２２Ｂ及び支持部材２３Ｂを有する。本変形例の照明装置１における光源の数は、上記に限定されない。
【００４３】
光源２１Ａ、２１Ｂは、植物Ｐの葉の表側と裏側の両方に紫外線を照射するため、植物Ｐの上方と下方にそれぞれ配置されている。この配置のため、支持部材２３Ａ、２３Ｂは、予め長さが相違するように構成されるか、又は伸縮自在な構成とされ、使用時に伸び縮みさせることにより、長さに差が設けられる。制御回路３２は、光源２１Ａ、２１Ｂにおける紫外線の放射強度の変化態様を互いに略同じとする。すなわち、制御回路３２は、光源２１Ａ、２１Ｂによる紫外線の放射強度を、略同じタイミングで、略同じ値に変化させる。
【００４４】
上記実施形態のように、紫外線を一方向から照射した場合、葉の裏側だけでなく、複数の葉が重なり合ったときに光源の奥方にある葉の表面側にも陰ができ、この陰が害虫Ｂ１の隠れ場所となることがある。これに対して、本変形例によれば、上述した陰ができ難いので、害虫Ｂ１の隠れ場所を少なくし、より効果的に害虫Ｂ１を殺傷することができる。また、植物Ｐの葉の表側と裏側の両方に紫外線を略同時に略同じ強度で照射することができ、特に殺傷強度ｐ３での紫外線放射期間には、害虫Ｂ１の逃げ場をより確実になくして、害虫Ｂ１の防除効果を向上させることができる。
【００４５】
図１５は、上記実施形態の他の変形例に係る照明装置１の構成を示す。本変形例の照明装置は、複数用いられて、照明システムを構成する。図例では、２台の照明装置１Ａ、１Ｂを示すが、照明装置１の数は、これに限定されず、複数であればよい。照明装置１Ａは、灯体２Ａ（光源２１Ａ、筺体２２Ａ、支持部材２３Ａ）及び調光器３Ａを有し、照明装置１Ｂは、灯体２Ｂ（光源２１Ｂ、筺体２２Ｂ、支持部材２３Ｂ）及び調光器３Ｂを有する。
【００４６】
光源２１Ａ、２１Ｂを用いた駆除方法として、又は光源２１Ａ、２１Ｂのうち、紫外線の放射強度を変化させる対象、すなわち調光制御対象の光源が切り替えられる。この切替え制御が行われる場合、調光制御対象とされる光源だけが点灯し、その他の光源は消灯する。本例においても、上記変形例と同等の効果が得られる。
【００４７】
上述した図１４に示した葉の表側と裏側の両方に紫外線を照射する変形例（上下から同時照射）、及び図１５に示した調光制御対象の光源が切り替えられる変形例（切替照明）による害虫防除の評価結果を下記表２に示す。ここでも、各パターンにおいて、実験開始時に夫々５頭のハダニが接種された。また、これらの変形例における紫外線放射強度は、図７に示した第２変化パターンに準じ、また、切り替え照射の照射パターンは、図７におけるｔ１＋ｔ２の期間で殺傷期間を、ｔ３の期間で誘引・停止期間を設けた。なお、表２では、下方から紫外線を照射した実施例（図４参照）の結果（表１で示した第２変化パターンと同サンプル）を参考のために載せている。
【００４８】
【表２】
2014200205.tif 000004
【００４９】
上記表２に示されるように、上下から同時照射、及び切替照明では、葉の裏側だけでなく、表側にも紫外線が照射されるので、下方から葉の裏側を中心に紫外線を照射して実施例に比べて、害虫予防効果を高くすることができる。特に、切替照明は、下方からの照射と電力消費量が同じであり、同時照射の半分とすることができ、しかもそれらを上回る害虫予防効果を得ることができた。
【００５０】
なお、本発明は、上記実施形態及び変形例の構成に限定されるものでなく、使用目的に応じ、様々な変形が可能である。例えば、制御回路３２は、光源２１による紫外線の放射強度の変化について、第１変化パターン乃至第３変化パターンのうちのいずれかとその他のものと組み合わせ、その組合せを繰り返してもよい。
【００５１】
また、上記変形例において、制御回路３２は、光源２１Ａ、２１Ｂの中で、紫外線の放射強度を変化させる対象の光源、すなわち調光制御対象の光源を切り替えてもよい。その場合、制御回路３２は、調光制御対象の光源だけを点灯し、その他の光源を消灯する。このような切替え制御によれば、消費電力を削減しつつ、害虫Ｂ１の防除効果の向上を図ることができる。
【符号の説明】
【００５２】
１  害虫駆除用照明装置
２１、２１Ａ、２１Ｂ  光源
３２  制御回路（制御部）
Ｐ１  植物
Ｂ１  害虫
ｐ１  誘引強度
ｐ２  停止強度
ｐ３  殺傷強度
【図１】
2014200205.tif 000005
【図２】
2014200205.tif 000006
【図３】
2014200205.tif 000007
【図４】
2014200205.tif 000008
【図５】
2014200205.tif 000009
【図６】
2014200205.tif 000010
【図７】
2014200205.tif 000011
【図８】
2014200205.tif 000012
【図９】
2014200205.tif 000013
【図１０】
2014200205.tif 000014
【図１１】
2014200205.tif 000015
【図１２】
2014200205.tif 000016
【図１３】
2014200205.tif 000017
【図１４】
2014200205.tif 000018
【図１５】
2014200205.tif 000019